(57)【要約】  携帯用電子機器を操作する者の操作性を向上させる携帯用電子機器を提供することを目的とする。本発明にかかる携帯用電子機器は、画面部１と、操作部２と、画面部１を回転可能に接続し、当該画面部１と操作部２とを対向して折り畳むことができるように当該操作部２に接続したコの字型のブリッジ部３と、画面部１の回転を停止させるとともに当該画面部１をブリッジ部３に固定する固定部４と、を備え、画面部１は、前記操作部２とブリッジ部３との折り畳み軸と実質的に同一方向の軸に沿って回転するようにブリッジ部３と接続されるものである。
2011092776.tif 000002
【特許請求の範囲】
【請求項１】
略矩形型の第１の筺体と、
略矩形型の第２の筺体と、
前記第２の筺体を回転可能に接続し、当該第２の筺体と前記第１の筺体とを対向して折り畳むことができるように当該第１の筺体に接続したコの字型のブリッジ部と、
前記第２の筺体の回転を停止させるとともに当該第２の筺体を前記ブリッジ部に固定する固定部と、を備え、
前記第２の筺体は、前記第１の筺体と前記ブリッジ部との折り畳み軸と実質的に同一方向の軸に沿って回転するように前記ブリッジ部と接続される、携帯用電子機器。
【請求項２】
前記固定部は、前記ブリッジ部の前記コの字型の角部に設けられ、回転動作をする略矩形の前記第２の筺体の少なくともいずれか一方の角部を固定する請求項１記載の携帯用電子機器。
【請求項３】
前記第２の筺体は、前記固定部を収納するための凹部が形成された収納部を有する、請求項２記載の携帯用電子機器。
【請求項４】
前記ブリッジ部は、
前記第２の筐体を挟んで対向配置される第１及び第２の支持部と、
前記第２の筐体を挟んで対向配置される前記第１及び第２の支持部の間を固定すると共に、前記第１の筺体と接続される接続部とを有し、
前記第２の筺体が、前記第１及び第２の支持部に、当該第２の筺体の略中心部に設けられた回転軸部により回転可能に接続される、請求項２に記載の携帯用電子機器。
【請求項５】
前記収納部は前記接続部と対向する面に形成され、
前記固定部は、前記ブリッジ部の前記コの字型の角部に設けられ、回転動作をする略矩形の前記第２の筺体の少なくともいずれか一方の角部を固定するものであって、
前記収納部に収納される、前記第２の筐体側に設けられる上部固定部と、
前記接続部に設けられたばねと前記上部固定部との間に設けられ、前記コの字型のブリッジの角部に向かって傾斜する斜面部を有する下部固定部と、
前記斜面部を押圧することにより前記下部固定部と共に上部固定部を押し下げるボタン部と、を備え、
前記ボタン部が前記斜面部を押圧し斜面に沿って移動することで前記下部固定部が前記ばねと共に押し下げられ、前記上部固定部が前記収納部から外れることで、前記第２の筐体が回転可能の状態になる、請求項３に記載の携帯用電子機器。
【請求項６】
前記第２の筺体は、
前記収納部より先に前記固定部と接触する斜面部を備え、
前記固定部は前記第２の筐体の回転動作に伴い、当該斜面部の斜面に沿って前記ブリッジ部の内部に押し下げられ、当該斜面部の通過後に、当該固定部が前記ブリッジ内部に押し下げられる圧力から解放されて前記収納部に収納されることにより、前記第２の筺体を前記ブリッジ部に固定する請求項３乃至５のいずれか１項記載の携帯用電子機器。
【発明の詳細な説明】
【技術分野】
【０００１】
本発明は携帯用電子機器に関し、特に折り畳み可能な携帯用電子機器に関する。
【背景技術】
【０００２】
近年、携帯電話端末未使用時の表示画面の保護及び拡大並びに携帯電話端末の誤動作の防止を実現するために、折り畳み式の形状を有する携帯電話端末が多く販売されている。また、携帯電話端末の多機能化により、デジタルカメラ機能及びテレビ機能が多くの携帯電話端末に搭載されている。この場合に、デジタルカメラとしての操作性の向上、携帯電話端末を折り畳んだ状態におけるテレビ視聴又は表示画面をタッチパネルとして用いる等の目的により、表示画面を表にして折り畳みを可能にする携帯電話端末も開発されている。【０００３】
ここで、表示画面と操作ボタンとを分離した筺体に搭載した例を、以下の特許文献１及び２を用いて説明する。【０００４】
特許文献１には、キーボタンを備える携帯電話機本体と、携帯電話機本体にスライド可能に収納される表示部とを備える携帯電話機の構成が開示されている。【０００５】
特許文献２には、液晶の表示画面を備えた上部筺体と、操作ボタン類を備えた下部筺体とをスライド方式を用いて開閉し、上部筺体の移動とともにアンテナが伸長、収縮する携帯電話機の構成が開示されている。【０００６】
特許文献１及び２に記載されている携帯電話機は、表示画面と操作ボタンとが分離した筺体に搭載されているが、表示画面を折り畳む形状については、記載されていない。そこで、以下の特許文献３を用いて、表示画面を表にして折り畳みを可能にする携帯電話端末の構成例について説明する。【０００７】
特許文献３には、表示部が回転可能に接続されている折り畳み式携帯電話端末が開示されている。特許文献３に開示されている折り畳み式携帯電話端末の表示部は、表示部の周囲を囲むコの字型連結部材と接続されている。コの字型連結部材は、表示部との接続箇所に、表示部が１８０度以上回転しないように、ストッパ用リブが設けられている。また、コの字型連結部材は、可動軸と固定軸とを有しており、可動軸がロックされることにより、表示部を固定することができる。
【先行技術文献】
【特許文献】
【０００８】
【特許文献１】特開２００１−１４４８３６号公報
【特許文献２】特開２００３−２９８６９５号公報
【特許文献３】特開平５−３３３９６０号公報
【発明の概要】
【発明が解決しようとする課題】
【０００９】
しかし、特許文献３に開示されている折り畳み式携帯電話端末を用いた場合、次のような問題が生じる。折り畳み式携帯電話端末の表示部を回転させた場合に、ストッパ用リブの作用により、表示部を１８０度回転させた状態に停止させ、その後にコの字型連結部材の可動軸をスライドさせて表示部を固定する必要がある。また、表示部を表にした状態にして折り畳む場合には、上述したように表示部を回転させた後に、表示部をコの字型連結部材に固定し、その後に折り畳み動作を行う必要がある。このように、回転させた表示部を停止させる操作と、表示部を固定させる操作と、携帯電話端末を折り畳む操作とがそれぞれ独立している。そのため、携帯電話端末を操作する者が、表示部を回転させたり、表示部を表にして折り畳んだりする操作に煩わしさを感じるという問題があった。【００１０】
本発明は、このような問題を解決するためになされたものであり、携帯用電子機器を操作する者の操作性を向上させる携帯用電子機器を提供することを目的とする。
【課題を解決するための手段】
【００１１】
本発明の第１の態様にかかる携帯用電子機器は、略矩形型の第１の筺体と、略矩形型の第２の筺体と、前記第２の筺体を回転可能に接続し、当該第２の筺体と前記第１の筺体とを対向して折り畳むことができるように当該第１の筺体に接続したコの字型のブリッジ部と、前記第２の筺体の回転を停止させるとともに当該第２の筺体を前記ブリッジ部に固定する固定部と、を備え、前記第２の筺体は、前記第１の筺体と前記ブリッジ部との折り畳み軸と実質的に同一方向の軸に沿って回転するように前記ブリッジ部と接続されるものである。
【発明の効果】
【００１２】
本発明により、携帯用電子機器を操作する者の操作性を向上させる携帯用通信機器を提供することができる。
【図面の簡単な説明】
【００１３】
【図１】実施の形態１にかかる携帯電話端末の構成図である。
【図２】実施の形態１にかかるブリッジ部の構成図である。
【図３】実施の形態１にかかる画面部１の構成図である。
【図４】実施の形態１にかかる画面部１の動作を示す図である。
【図５】実施の形態１にかかる画面部１の動作を示す図である。
【図６】実施の形態１にかかる携帯電話端末を開く動作を示す図である。
【図７】実施の形態１にかかる携帯電話端末を開く動作を示す図である。
【図８】実施の形態１にかかる携帯電話端末を開く動作を示す図である。
【図９】実施の形態１にかかる携帯電話端末を閉める動作を示す図である。
【図１０】実施の形態１にかかる携帯電話端末を閉める動作を示す図である。
【図１１】実施の形態１にかかる携帯電話端末を閉める動作を示す図である。
【図１２】実施の形態１にかかる画面部を開放する動作を示す図である。
【図１３】実施の形態１にかかる画面部を開放する動作を示す図である。
【図１４】実施の形態２にかかる画面部を開放する動作を示す図である。
【図１５】実施の形態２にかかる画面部を開放する動作を示す図である。
【図１６】実施の形態３にかかる画面部を開放する動作を示す図である。
【図１７】実施の形態３にかかる画面部を開放する動作を示す図である。
【図１８】実施の形態３にかかる画面部を開放する動作を示す図である。
【発明を実施するための形態】
【００１４】
（実施の形態１）
以下、図面を参照して本発明の実施の形態について説明する。図１を用いて本発明の実施の形態１にかかる携帯用電子機器の構成例について説明する。携帯用電子機器は、携帯電話端末、ＰＤＡ（Personal Digital Assistant）端末、ＰＨＳ（Personal Handy-phone System）端末等の通信端末であってもよく、電子辞書、ゲーム端末等であってもよい。以下、携帯用電子機器の一例として、携帯電話端末について説明する。携帯電話端末は、画面部１と、操作部２と、ブリッジ部３と、固定部４と、を備えている。
【００１５】
画面部１は、液晶表示画面を有する略矩形型の筺体から構成される。液晶表示画面は、筺体の表面又は裏面のどちらか一方に配置される。もしくは、表面及び裏面に液晶表示画面が配置されてもよい。画面部１は、ブリッジ部３と回転可能に接続されている。ブリッジ部３は、コの字型に形成されている。画面部１は、ブリッジ部３と画面部１との接続部分を中心に回転することができる。なお、本図においては、画面部１の両方の側面がブリッジ部３と接続されるように示しているが、どちらか一方の側面のみがブリッジ部３と接続されてもよい。
【００１６】
操作部２は、操作ボタンを有する略矩形型の筺体から構成される。操作ボタンは、物理的に凹凸を有するボタンであってもよく、ボタンが液晶表示されるタッチパネルであってもよい。操作部２は、ブリッジ部３とヒンジを用いて接続されており、操作部２とブリッジ部３とを折り畳むことができる。折り畳む際に、ブリッジ部３に接続されている画面部１と、操作部２とは、対向するように折り畳まれる。つまり、操作部２の操作ボタンを有する面と画面部１の表面もしくは裏面とが対向するように折り畳まれる。
【００１７】
また、画面部１は、操作部２とブリッジ部３との折り畳み軸と実質的に同一方向の軸に沿って回転するように、ブリッジ部３と接続されている。画面部１とブリッジ部３との接続部分を結ぶ線を回転軸とした場合に、画面部１は、当該回転軸が操作部２とブリッジ部３との折り畳み軸と実質的に平行になるようにブリッジ部３と接続される。画面部１は、ブリッジ部３に設けられている固定部４が用いられることによって、その回転を停止させるとともに、ブリッジ部３に固定される。
【００１８】
続いて、図２を用いて、本発明の実施の形態１にかかるブリッジ部３の構成例について説明する。ブリッジ部３は、支持部５と、接続部６と、回転軸部７と、を備えている。接続部６の上面右隅に固定部４が配置されている。
【００１９】
支持部５は、画面部１を挟んで対向配置される。回転軸部7は、画面部１と支持部５との間に配置され、画面部１と支持部５と接続されている。回転軸部７は、画面部１の側面の略中心部に接続される。画面部１は、接続された回転軸部７により回転される。支持部５と回転軸部７とは、一体に形成されてもよい。図２に示すように、支持部５及び回転軸部７は、画面部１を挟んで対向配置されてもよく、画面部１の片方の側面と対向する位置のみに配置されてもよい。支持部５及び回転軸部７が、画面部１を挟んで対向配置される場合、回転軸部７は、それぞれの回転軸部７を結ぶ線が、ブリッジ部３と操作部２との折り畳み軸と実質的に平行となるように配置される。
【００２０】
接続部６は、画面部１を挟んだ２つの支持部５の間に配置され、支持部５と接続されている。支持部５と接続部６とは、一体に形成されてもよい。また、接続部６は、操作部２とヒンジを用いて接続され、操作部２とブリッジ部３とを折り畳むことを可能としている。
【００２１】
このように、画面部１が回転軸部７とのみ接続されることにより、画面部１は、回転軸部７を中心に回転動作をすることができる。さらに、接続部６の上部に配置された固定部４に画面部１が固定されることにより、画面部１は、ブリッジ部３に固定される。
【００２２】
続いて、図３を用いて、本発明の実施の形態１にかかる画面部１の構成例について説明する。図３は、図１における携帯電話端末を側面方向から見た図である。なお、説明の便宜上、ブリッジ部３の背後に配置されている固定部４及び回転軸部７を、点線を用いて示している。また、固定部４は、画面部１が回転する円周上であって、コの字型に形成されたブリッジ部３の角部に設けられる。図の矢印は、画面部１が回転する軌跡を示している。画面部１は、斜面部８と、収納部９とを有している。斜面部８は、画面部１における筺体の上面及び下面と、表面及び裏面の少なくとも一方の面との境界が斜面状に形成されている面である。図３においては、画面部１における筺体の表面又は裏面の一方に斜面部８が形成されているが、表面及び裏面の両方に斜面部８が形成されてもよい。上面及び下面とは、画面部１と回転軸部７とが接続される側面及び画面部１を有する表面もしくは裏面とは異なる面である。収納部９は、下記において説明する固定部４を収納することができるように、凹部が形成されている。
【００２３】
固定部４は、突起状に形成されている。固定部４は、接続部６の内部に収納され、その一部が接続部６の外部に突出している。固定部４の外部に突出している部分が収納部９に収納されることにより、画面部１は、ブリッジ部３に固定される。
【００２４】
続いて、図４を用いて画面部１の回転動作について説明し、図５を用いて画面部１の固定動作について説明する。図４の曲線の矢印は、画面部１が回転軸７を中心に回転する方向を示している。画面部１が回転することにより、斜面部８と固定部４とが接触する。斜面部８は斜面状に形成されている。そのため、画面部１が、斜面部８と固定部４とが接触後さらに回転する方向に可動すると、固定部４は、斜面部８の表面に沿って接続部６内部の直線矢印方向に押し下げられる。画面部１が固定部４を接続部６の内部に押し下げられながら回転動作を継続し、固定部４の上部を斜面部８が通過後に、固定部４は、接続部６の内部に押し下げられる圧力から解放される。これにより、図５に示されるように、固定部４が直線矢印方向に動作し、収納部９に収納される。固定部４は、上述したように接続部６の内部を上下に可動するために、接続部６の内部においてばねを用いて接続される。このように動作することにより、画面部１は、ブリッジ部３に固定される。画面部１がブリッジ部３に固定されることにより、携帯電話端末の通常の使用形態において、表示画面が固定された状態において携帯電話端末を使用することが可能である。さらに、固定部４を用いることにより、画面部１が必要以上に回転することを防止することができる。
【００２５】
続いて、図６乃至８を用いて、本発明の実施の形態１にかかる携帯電話端末を開く動作について説明する。はじめに、携帯電話端末は、画面部１における表示画面が操作部２と対向するように閉じられている（図６）。この状態から画面部１を開き、図７に示される状態を経由して図８に示されるように通常の使用状態に遷移する。図６乃至８において、画面部１がブリッジ部３に固定されたまま、携帯電話端末を開く動作が行われる。
【００２６】
続いて、図９乃至１１を用いて、本発明の実施の形態１にかかる携帯電話端末を閉じる動作について説明する。図９の携帯電話端末は、画面部１の表示画面を見ながら操作部２を操作することを可能とするために、携帯電話端末が折り畳まれる際に、操作ボタンと表示画面とが対向するように、画面部１がブリッジ部３に固定されている。画面部１を矢印の方向に閉じる際に、図１０に示されるように、画面部１が、ブリッジ部３との接続部分（回転軸部７）を中心に、ブリッジ部３が折り畳まれる方向とは反対の方向に回転される。ブリッジ部３の折り畳み動作と画面部１の回転動作を同時に行うことにより、図１１に示されるように、画面部１がブリッジ部３に固定されるとともにブリッジ部３の折り畳み動作が完了する。このように動作させることにより、画面部１は、画面部１の回転動作及びブリッジ部３の折り畳み動作を一連の動作とすることができる。さらに、画面部１は、操作部２とブリッジ部３とが折り畳まれる過程において、ブリッジ部３へ固定される。
【００２７】
続いて、図１２及び１３を用いて、本発明の実施の形態１にかかる固定状態にある画面部１を開放する動作について説明する。図１２において、固定部４は、ブリッジ部３の外部に突出している部分が画面部１の収納部９に固定されている。また、ブリッジ部３の内部にばね１０が配置されており、ブリッジ部３の内部に押し込まれている固定部４の一部は、ばね１０と接続されている。これにより、固定部４が上下方向に動作することを可能にしている。さらに、固定部４の一部はブリッジ部３の側面から突出しており、突出している部分を用いて、携帯電話端末を操作する者が、固定部４を上下方向に可動させることができる。
【００２８】
固定部４が収納部９に収納され、画面部１がブリッジ部３に固定されている状態において、固定部４を下方向に押し下げることにより、図１３に示されるように、画面部１とブリッジ部３との固定状態が解除される。これにより、画面部１は、回転動作を行うことができる。
【００２９】
（実施の形態２）
続いて、図１４及び図１５を用いて、本発明の実施の形態２にかかる、固定状態にある画面部１を開放する動作について説明する。画面部１が回転する動作、ブリッジ部３に固定される動作については、実施の形態１と同様であるため、説明を省略する。また、画面部１の構成についても実施の形態１と同様であるため、説明を省略する。固定部４は、上部固定部１１と、下部固定部１２と、ボタン部１３とを有する。上部固定部１１と下部固定部１２とが接続されており、さらに下部固定部１２は、ばね１０と接続されている。上部固定部１１は、画面部１側に設けられ、収納部９に収納される。下部固定部１２は、コの字型に形成されたブリッジ部３の角部に向かって傾斜する斜面部を有する。
【００３０】
上部固定部１１と下部固定部１２とがばね１０の伸縮により上下方向に動作するのに対し、ボタン部１３は、下部固定部１２の斜面部を押圧できるように、左右方向に動作する。図１４において、ボタン部１３が、下部固定部１２の斜面部を押圧することにより、ボタン部１３は、斜面に沿って、斜面を登る方向に移動するとともに、下部固定部１２が、押し下げられる。つまり、下部固定部１２は、ばね１０を縮める方向に動作する。これにより、図１５に示すように、上部固定部１１が収納部９から外れ、上部固定部１１と画面部１との固定状態が解除され、画面部１は、回転可能の状態になる。このようにして、図１４及び１５において説明した固定部４を用いることにより、ボタン部１３を用いて横方向に加えられた圧力に対して、上部固定部１１及び下部固定部１２を縦方向に動作させることができるため、画面部１とブリッジ部３と固定状態を解除することができる。
【００３１】
（実施の形態３）
続いて、図１６乃至１８を用いて、本発明の実施の形態３にかかる、固定状態にある画面部１を開放する動作について説明する。画面部１が回転する動作、ブリッジ部３に固定される動作については、実施の形態１と同様であるため、説明を省略する。また、画面部１の構成についても実施の形態１と同様であるため、説明を省略する。図１６は、画面部１の収納部９の形状を示している。収納部９は、画面部１の上面及び下面に形成される。上面及び下面に形成される収納部９は、画面部１の側面方向に延伸する凹部と、筺体の表面又は裏面に延伸する凹部とから構成される。筺体の表面又は裏面に延伸する凹部は、筺体の表面及び裏面の少なくとも一方に、開放端を有する。
【００３２】
次に、図１７及び１８を用いて、固定状態にある画面部１を開放する動作について説明する。図１７は、ブリッジ部３に画面部１が固定されている状態を示している。画面部１は、固定部４が収納部９に収納されることにより、ブリッジ部３に固定されている。固定部４は、接続部６の側面と上面とにそれぞれ突出している部分を有する。接続部６の側面に突出している部分を接続部６の内部方向（図１７においては左方向）に押下することにより、上面に突出している部分も収納部９内を同一方向に可動する。また、固定部４は、ばね１０を用いて接続部６内に固定されている。固定部４を離すと、固定部４は、ばね１０の作用により、固定部４を押下した方向と逆方向に固定部４が可動する。
【００３３】
図１８は、収納部９内における固定部４の動作状態を示している。ばね１０が伸びている状態においては、固定部４は、収納部９内に固定されている。この状態から固定部４を押下し、ばね１０を収縮させた状態にすると、収納部９に収納されている固定部４が押下された方向に可動する。これにより、固定部４は、収納部９の開放端を介して、収納部９の外部へ可動することができる。よって、画面部１は解放され、回転軸部７を中心に回転することができる。ここで、図１６乃至１８における画面部１に形成された溝が、筺体の表面及び裏面のどちらか一方に開放端を有する形状である例について説明したが、表面及び裏面の両方に開放端を有する形状であってもよい。表面及び裏面の両方に開放端を有することにより、画面部１を右回り又は左回りのどちらか一方のみではなく、右回り及び左回りの両方向に回転させて、画面部１をブリッジ部３から解放することができる。
【００３４】
以上説明したように、本発明の実施の形態１にかかる携帯電話端末を用いることにより、携帯電話端末を折り畳む操作と画面部を回転させる動作を一連の動作により実現することができる。そのため、携帯電話端末の折り畳み動作が完了するとともに、画面部とブリッジ部とを固定させることができる。
【００３５】
また、画面部が、固定部に固定されることにより、通常の使用状態において画面を固定して使用することができる。
【００３６】
さらに、固定部をばねを用いてブリッジ部３と接続することにより、簡易な動作により画面部１をブリッジ部３から解放することができる。
【００３７】
なお、本発明は上記実施の形態に限られたものではなく、趣旨を逸脱しない範囲で適宜変更することが可能である。
【００３８】
以上、実施の形態を参照して本願発明を説明したが、本願発明は上記によって限定されるものではない。本願発明の構成や詳細には、発明のスコープ内で当業者が理解し得る様々な変更をすることができる。
【００３９】
この出願は、２０１０年１月２８日に出願された日本出願特願２０１０−０１７０２２を基礎とする優先権を主張し、その開示の全てをここに取り込む。
【符号の説明】
【００４０】
１  画面部
２  操作部
３  ブリッジ部
４  固定部
５  支持部
６  接続部
７  回転軸部
８  斜面部
９  収納部
１０  ばね
１１  上部固定部
１２  下部固定部
１３  ボタン部
【図１】
2011092776.tif 000003
【図２】
2011092776.tif 000004
【図３】
2011092776.tif 000005
【図４】
2011092776.tif 000006
【図５】
2011092776.tif 000007
【図６】
2011092776.tif 000008
【図７】
2011092776.tif 000009
【図８】
2011092776.tif 000010
【図９】
2011092776.tif 000011
【図１０】
2011092776.tif 000012
【図１１】
2011092776.tif 000013
【図１２】
2011092776.tif 000014
【図１３】
2011092776.tif 000015
【図１４】
2011092776.tif 000016
【図１５】
2011092776.tif 000017
【図１６】
2011092776.tif 000018
【図１７】
2011092776.tif 000019
【図１８】
2011092776.tif 000020
【国際調査報告】
2011092776.tif 000021
2011092776.tif 000022
2011092776.tif 000023
2011092776.tif 000024
2011092776.tif 000025